(57)【特許請求の範囲】
【請求項１】
所要剛性を有するシート状素材により短筒形の開口部枠体と該開口部枠体の口径より大径な短筒形の有底枠体とを形成し、該両枠体を適度の剛性と可撓性を有し、且つ変形が可能であって形状維持能力を有するシート状素材によって円錐台形の筒形に形成される胴部を介して上下一体に接続し、外形形状が略円錐台形状をなす容器本体部を形成する一方、前記有底枠体の底部にコーヒー粉末等の抽出内容物を封入する収納室を連設し、不使用時には前記胴部の可撓性によって該胴部と共に前記開口部枠体を前記有底枠体の内側に折り込み格納して前記容器本体部を縮小し、また使用時には前記胴部を引き伸ばして前記有底枠体から前記開口部枠体を引き出し、前記容器本体部をカップ状に復元拡張させるようにしてなることを特徴としたコーヒー等の濾過器。
【請求項２】
請求項１の記載において、容器本体部は上部の開口部枠体から下部の有底枠体に向かって徐々に口径を拡張させるテイパー状に形成してなることを特徴としたコーヒー等の濾過器。
【請求項３】
請求項１又は２の記載において、容器本体部の開口部枠体は該開口部枠体を格納する有底枠体の底部の上面からの高さに等しいか若しくは低いことを特徴としたコーヒー等の濾過器。
【請求項４】
請求項１乃至３の記載において、胴部は開口部枠体の下縁部に接続する上端部縁と有底枠体の上縁部に接続する下端部縁をそれぞれ延長させて前記開口部枠体の内周面と有底枠体の内周面にそれぞれ接面させて接合し、一体に接続してなることを特徴としたコーヒー等の濾過器。
【請求項５】
請求項１乃至４の記載において、胴部は開口部枠体の下縁部に接続する上端部縁と有底枠体の上縁部に接続する下端部縁とを前記開口部枠体と有底枠体の各外周面に沿って延長させ、且つそれぞれを接面状に一体に接合して該開口部枠体と有底枠体の各外周面を前記胴部によって全体被覆することを特徴としたコーヒー等の濾過器。
【請求項６】
請求項１乃至５の記載において、有底枠体の下端部の縁には周方向に沿って底部より下に延びる所要剛性を有したカップ保持枠を形成してなることを特徴としたコーヒー等の濾過器。
【請求項７】
請求項１乃至６の記載において、有低枠体の底部には孔を開設し、該孔を通してフィルタ製の収納室を垂下連設すると共に、前記孔の開口縁に沿ってスカートを垂設し、前記収納室の上部外周面に接面状に囲み水密に保持することを特徴としたコーヒーの濾過器。
【請求項８】
請求項１乃至７の記載において、容器本体部は開口部枠体と有底枠体を所要剛性を有した厚紙で形成し、他方胴部を適度の剛性と可撓性を有し、変形が可能であって形状維持能力を有する薄紙で成形することを特徴としたコーヒー等の濾過器。
【請求項９】
請求項１乃至７の記載において、容器本体部は開口部枠体と有底枠体を所要剛性を有した不織布で形成し、他方胴部を適度の剛性と可撓性を有し、変形が可能であって形状維持能力を有する不織布で成形することを特徴としたコーヒー等の濾過器。
【発明の詳細な説明】
【０００１】
【発明の属する技術分野】
本発明は、コーヒーや茶を抽出するドリップ式の簡易濾過器に関する。
【０００２】
【従来の技術】
最近、コーヒー粉末に直接湯を注いでレギュラーコーヒーを抽出するドリップ式のコーヒー濾過器の普及は目ざましく、多くの提案と共に実用化がなされ、市販されるに至っている。
１人前或いは少人数用の使い捨てタイプに係る簡易濾過器は予めコーヒー粉末が一体に封入されているものが多く、単に湯を注ぐだけでコーヒー液を抽出することができるようになっており、また使用後はそのまゝゴミとして廃棄処分することができるので便利性を買われて広く使用されている。
【０００３】
この使い捨てに係る濾過器を大別すると、１つのタイプとしてコーヒー粉末を収納する収納部と、これをカップの縁等に支え固定する支持部とから構成され、前記収納部に収納したコーヒー粉末に直接湯を注ぎ込むことでコーヒー液をカップに回収するもの、そしてコーヒーカップに溜めた湯の中にコーヒー粉末を収納した収納部を漬けてコーヒー液を抽出する収納部支持タイプのものとがあり、また別のタイプとして湯を溜めるカップ状の容器を備えたもの、つまり容器にコーヒー粉末の収納部を一体に組付けてこの容器に一旦湯を溜め、この湯を上記収納部に透過させてコーヒー液を抽出する容器型タイプに係る濾過器とがある。
【０００４】
本発明は、この２つのタイプの濾過器のうち、後者の容器型タイプに係る濾過器の改善に係るものであり、その目的とするところは不使用時における濾過器の小型化を図ること、そして使用時においては安定化を図り安全な使用を可能にすることにある。
【０００５】
ことに、この容器型の濾過器は使い捨てであるため元々簡易であることが前提になっている。そのため素材の選択において軽量なものになる傾向がある。この様に濾過器が軽く造られることからカップ上に載置してこれに直接湯を注ぎ込むと、流下する湯の重量、圧力によって極めて不安定な状態となり易く、乱暴に扱ったりすると転落する危険がある。
【０００６】
この様なことから湯の注ぎ込みに充分な注意が求められると共に、出来るだけ安定した状態で載置できる濾過器が求められているのである。
また一方、本発明はこれと同時に使用時と不使用時との間において濾過器を伸縮可能にし、且つこの伸縮の変形操作を容易、確実にできるようにして取扱いを簡便にしたことにある。
【０００７】
この容器型の濾過器は、前記収納部支持タイプの濾過器に比較したとき、本体部分が湯を溜めるためカップ状に形成されて嵩張ることに１つの欠点がある。また使い捨てになるにもかゝわらず製造コストが高くなること、そして素材の関係から廃棄処理がしにくいことが難点になっている。
中でも嵩張る点は収納保管する際に、運搬する際に、また店頭に陳列するに当たって場所を取ること等から、折り畳んで小型にできる収納部支持タイプの濾過器に比較して大きな難点である。
【０００８】
この課題を解決するものとして、例えば実公平５ー１０７６６号公報及び実公平５ー４０８４３号公報記載のコーヒー抽出器が提案されている。
前者は容器本体の下半部の周面部に縦襞を設け、この縦襞の上縁部に折目線を形成すると共に、コーヒー収納部を連設する段部に放射状の横襞を設けて、縦横の襞と前記折目線を利用して容器本体の下半部周面部の折り曲げを可能にして容器本体を二つ折りにし、前記コーヒー収納部を容器本体内部に収納するようにしたものである。
【０００９】
また後者は、前記前者と同様に容器本体の下半部の周面部に縦襞を設けると共に、この襞の上縁部に折目線を、そしてコーヒー収納部を連設する段部の外周縁部に環状凹溝部を形成して縦襞を使って縮径させながら前記折目線と環状凹溝部を折り曲げ基点にして容器本体の下半部を上半部の内側に折り込み、コーヒー収納部と共に、格納折り畳めるようにしたものである。
【００１０】
【発明が解決しようとする課題】
この２つの提案はカップ状をなす容器本体を上半部の内側に向けて下半部を折り込むことで容積を半減させ小型化するものであり、従来の嵩張り状態を解消することができるものとなっている。しかし、ここにおける問題点は容器本体を折り畳むために周面部に縦、横の襞を形成する必要があることであり、また縦襞の上縁部に折目線を形成する必要があること、更には後者提案にあっては環状凹溝部を形成しなくてはならないことである。
【００１１】
この縦襞、横襞の形成、そして折目線、環状凹溝部等の形成は、前記両提案が剛性を有する合成樹脂素材を選択して抽出器を形成することにしたことから必然的に採用された手段ではあるが、上記襞の形状、折目線、環状凹溝部の相互の位置関係、そして、その形状、大きさによって折り曲げの形態が特定されること、更には縦，横の襞同志、或いは襞と折目線、襞と環状凹溝部が共働して折り曲げを進行するように仕組まれていることから操作の際に上記各部相互のバランスを取るようにしながら折りたたみ、或いは引き伸ばし操作しなければならない問題がある。
【００１２】
また、上記提案は襞や折目線を形成するために合成樹脂素材でなければならない制約がある一方、使い捨てタイプでありながらゴミ処理する際にこれを簡単に処分できない問題がある。
【００１３】
本発明は、この様な点に鑑み容器型濾過器における欠点を改善すべく研究開発されたものであり、その主たる目的は従って簡単且つ容易に折りたゝみ及び引き伸ばし操作が行えるようにして操作性を改善し、また紙素材の使用を可能にして使用後の使い捨て処理を容易に行えるようにする一方、更に使用時にカップ上に載置したとき安定し、湯の注ぎ込みに対して転落したりすることなく安全に使用できるようにしたコーヒー等の濾過器を提供せんとするものである。
【００１４】
【課題を解決するための手段】
本発明は上述目的を達成するため、湯を溜める容器本体部を上部の開口部枠体と下部の有底枠体とこの両者を接続する胴部とから構成し、前記開口部枠体と有底枠体は所要剛性を有した厚紙、或いは不織布等のシート状素材によって形成し、容器本体部全体のカップ状の形状を維持せしめる一方、前記開口部枠体と前記有底枠体とを一体に接続する胴部について所要の剛性を有し、且つ可撓性を兼ね備えて変形が可能であると同時に形状維持能力を有する薄紙、或いは不織布等のシート状素材によって形成したことにある。
【００１５】
そして、本発明は前記開口部枠体を前記有底枠体の内側に前記胴部の可撓性を利用して撓め変形させて折り曲げながら内部に押し入れ格納して容器本体部を折りたゝみ縮小させる一方、使用に際しては前記有底枠体の内部から開口部枠体を引き出し、折りたゝんだ前記胴部を引き伸ばして容器本体部をカップ状に復元させ、この形態を維持するようにした濾過器を提案することにある。
【００１６】
そして、本発明では上記構成によって容器本体部を下方が広く、上方が狭い略円錐台形状の外観を呈するカップ状容器にして、カップ上に載置したとき安定した状態で載置固定できるようにした濾過器を提案することにある。
【００１７】
更に本発明を詳述すれば、本発明は所要剛性を有するシート状素材により短筒形の開口部枠体と該開口部枠体の口径より大径な短筒形の有底枠体とを形成し、該両枠体を適度の剛性と可撓性を有し、且つ変形が可能であって形状維持能力を有するシート状素材によって円錐台形の筒形に形成される胴部を介して上下一体に接続し、外形形状が略円錐台形状をなす容器本体部を形成する一方、前記有底枠体の底部にコーヒー粉末等の抽出内容物を封入する収納室を連設し、不使用時には前記胴部の可撓性によって該胴部と共に前記開口部枠体を前記有底枠体の内側に折り込み格納して前記容器本体部を縮小し、また使用時には前記胴部を引き伸ばして前記有底枠体から前記開口部枠体を引き出し、前記容器本体部をカップ状に復元拡張させるようにしてなることを特徴としたコーヒー等の濾過器を提供することにある。
【００１８】
また本発明は、前記容器本体部は上部の開口部枠体から下部の有底枠体に向かって徐々に口径を拡張させるテイパー状に形成してなることを特徴としたコーヒー等の濾過器を提供することにある。
【００１９】
また本発明は、前記容器本体部の開口部枠体は該開口部枠体を格納する有底枠体の底部上面からの高さに等しいか若しくは低いことを特徴としたコーヒー等の濾過器を提供することにある。
【００２０】
また本発明は、前記胴部は開口部枠体の下縁部に接続する上端部縁と有底枠体の上縁部に接続する下端部縁をそれぞれ延長させて前記開口部枠体の内周面と有底枠体の内周面にそれぞれ接面させて接合し、一体に接続してなることを特徴としたコーヒー等の濾過器を提供することにある。
【００２１】
また本発明は、前記胴部は開口部枠体の下縁部に接続する上端部縁と有底枠体の上縁部に接続する下端部縁とを前記開口部枠体と有底枠体の各外周面に沿って延長させ、且つそれぞれを接面状に一体に接合して該開口部枠体と有底枠体の各外周面を前記胴部によって全体被覆することを特徴としたコーヒー等の濾過器を提供することにある。
【００２２】
また本発明は、前記有底枠体の下端部の縁には周方向に沿って底部より下に延びる所要剛性を有したカップ保持枠を形成してなることを特徴としたコーヒー等の濾過器を提供することにある。。
【００２３】
また本発明は、容器本体部は開口部枠体と有底枠体を所要剛性を有した厚紙で形成し、他方胴部を適度の剛性と可撓性を有し、変形が可能であって形状維持能力を有する薄紙で成形することを特徴としたコーヒー等の濾過器を提供することにある。
【００２４】
また本発明は、前記容器本体部は開口部枠体と有底枠体を所要剛性を有した不織布で形成し、他方胴部を適度の剛性と可撓性を有し、変形が可能であって形状維持能力を有する不織布で成形することを特徴としたコーヒー等の濾過器を提供することにある。
【００２５】
また本発明は、前記有低枠体の底部には孔を開設し、該孔を通してフィルタ製の収納室を垂下連設すると共に、前記孔の開口縁に沿ってスカートを垂設し、前記収納室の上部外周面に接面状に囲み水密に保持することを特徴としたコーヒーの濾過器を提供することにある。
【００２６】
【発明の実施の形態】
本発明は、上述の如く構成に係るもので、次に本発明を図面に示す実施例について詳述し、その特徴とするところを明らかにし、併せてその他の特徴について併せて説明することにする。
【００２７】
【実施例１】
図１乃至図４は本発明の第１の実施例を示したものである。図１は右半を中央部で断面とした本発明に係る濾過器の正面図、図２は図１の１点鎖線で囲んだ部分の拡大断面図、図３は折りたゝんだ状態における右半を断面とした正面図であり、図４は折りたゝんだ状態における斜視図である。
図面において、符号１は濾過器の主体となる容器本体部、２はこの容器本体部１の開口部を形づくる開口部枠体、３は開口部枠体２の下方にあって容器本体部１の底部を含む下部を形成する有底枠体である。
【００２８】
容器本体部１は、ここではコーヒーを抽出する人数分の（例えば、１人用のものにおいては１人分の）湯を溜めるに充分な容積をもったカップ状に形成するものであり、上部の開口部枠体２はこのカップ状をなす容器本体部１の上端部分を形成する大きさの短尺な円筒形に形成してある。
【００２９】
上記開口部枠体２は、カップ状をなす容器本体部１の形状、ことに後述するように使用可能な状態に拡張したとき、開口部の形状を安定した状態に維持するため形状保持機能をもたせたものとなっており、具体的にはここでは容器本体部１に湯を溜めて開口部枠体２の外周面に親指と人差指乃至中指を添えて掴んだとき、この指の挟み付けによって円筒形状が崩れることのない程度に形状を保持できる剛性を備える厚紙素材によって形成してある。
【００３０】
この開口部枠体２は、下方に位置する有底枠体３の内側に向けて後述するように折り込んだとき円滑に入り込めるように上縁が小さく下縁が大きくなるテーパー状をなした短尺な円錐台形状の筒形に形成してあり。また上端の開口縁は厚紙の折り返しによってリング状の補強縁部４を形成し、これによって更に全体の強度が高まるようにしてある。
【００３１】
一方、有底枠体３は前記開口部枠体２の口径より大径となる短尺な円筒形に形成してあり、その内周面の高さの略中央の位置に底部６を一体に設けてこの底部６の下の部分がスカート状に垂下し、後述するカップに対する係止部３ａが形成されるようにしてある。
そして、上記底部６の中央部には円形の孔７を開設し、この孔を介して底部６の下面にコーヒー粉末等の抽出内容物８を収容する収納室９を連設してある。
【００３２】
前記孔７は、図２に拡大して示すようにその周縁に沿って底部６を１段低くして環状の受部１０を形成し、この受部の上面に前記収納室９の鍔部１１とこの収納室９の開口部を塞ぐフィルタ１２の縁部を重ね合わせに収めるようにしてフィルタ１２の上面が底部６の上面より低くなり湯の流れが円滑になるようにしてある。
【００３３】
そして更に、この実施例では前記受部１０の開口縁部を孔７に沿って垂下し環状のスカート１３を形成し、その下縁を以て実質的な孔７とすると共にこのスカート１３によって収納室９の上部外周面を接面した状態に囲み、この部分から容器本体部１から収納室９に流れ込んだ湯が充分にコーヒー粉末に接触しないまゝ直接流失しないようにしてある。この流失防止はコーヒー粉末等内容物８に接触しない湯がそのまゝ透過流失してカップ内の抽出コーヒー液が薄まるのを防ぐものとなる。
【００３４】
尚、このスカート１３は収納室９の胴部９ａに沿ってできるだけその底部の近くまで垂設され、胴部の周面が覆い囲まれることが望ましく、特に収納室９が透水性のフィルタ素材によって皿型に一体に形成され、胴部つまり周面が露出しているものにおいては、ここから湯が透過することになるので特に望まれるものとなる。
【００３５】
ところで、前記胴部５は、開口部枠体２、有底枠体３とは対照的にこれらの枠体の紙厚より肉薄であって可撓性を有し、容易に変形することができ、それでいて所要の形状維持能力を有する薄紙素材によって形成してあり、容器本体部１の折りたゝみの際には自由に折り曲げられるようにしてある。
【００３６】
この胴部５は、ここでは前記開口部枠体２と有底枠体３を合計した高さと略同じ高さにしてあり、前述したようにその上縁部は延長してこの延長部５ａを前記開口部枠体２の内周面に貼り付け一体とし、また下縁部は同じく延長してこの延長部５ｂを前記有底枠体３の内周面に沿って接面状に接合し、それぞれを補強しながら両者の一体性を図るようにしてある。
【００３７】
前記収納室９はフィルタ素材によって前記有底枠体３より小型の皿形に形成してあり、その胴部９ａの縁から前記鍔１１を張り出してその上面に前記フィルタ１２を張設して内部にコーヒー粉末等の抽出内容物８を封入し、同時にこのフィルタ１２によって容器本体部１と画するようにしてある。
【００３８】
尚、この収納室９は前述するように胴部９ａを含む全体をフィルタ素材によって皿形に一体形成してあるが、形状はこれに特定されるものではなく筒形であっても、また袋状に形成してもよい。
ただ収納室９は濾過器全体を小型にする上からそれ自身小型であることが求められるが、同時に抽出人数分に必要なコーヒー粉末等を封入し保持できる容量を備えることも当然に求められることになる。
【００３９】
本発明濾過器は、上述の如く構成されるもので、使用される状態では図１に示したように可撓性を有する胴部５を円筒状に延ばして容器本体部１の全体の形状を略円錐台形状に拡張させることになる。そして、製造後使用前の状態においては図３，図４に示した如く容器本体部１の開口部枠体２を胴部５を折り曲げるようにしてこの胴部５と一緒に有底枠体３の内側に折り込んで格納し、縮小させることになる。
【００４０】
この容器本体部１の縮小は、単に開口部枠体２をその剛性を利用して押し下げ、且つ同時に胴部５の可撓性を利用してこれを折り曲げることによって行うことになる。
カップ状に拡張した容器本体部１は有底枠体３に向けて開口部枠体２を押し下げると、筒形に緊張していた胴部５が一旦不定型に潰されて変形しながら開口部枠体２と共に有底枠体３の内側に侵入することになる。
【００４１】
このとき胴部５は、図３に示したように内外方向に蛇行して折り込まれ有底枠体２の中に入り込むことになる。そして、開口部枠体２は有底枠体３より小型の円筒形をしていることからそのまゝ内部に収まり縮小されることになる。
この縮小状態から明らかなように、カップ状をなす容器本体部１は実質的に２つ折りになって高さを略半減させることになる。
【００４２】
尚、ここでは容器本体部１に対して開口部枠体２と有底枠体３の高さを略同じくしてこの両者の和と胴部５の高さを略等しくしてあるが、胴部５には融通性があるので開口部枠体２と有底枠体３の高さを小さくすると更に縮小時の全体の高さを小さくすることができる。
【００４３】
この小型化は格納する収納室９によって限界があり制約されるが、折りたゝみにより偏平になることで保管、包装等が容易になる。
図示しないが、本発明濾過器はこの押し潰した縮小状態において、つまり折りたゝんだ状態において袋詰め等包装し、保管、運搬、或いは店頭等に陳列することになる。そして、この場合必要に応じて収納室９に詰めたコーヒー粉末等の内容物の劣化を防止するため真空包装としたり、或いは不活性ガスを注入したりする等適切な劣化防止処理を採ることになる。
【００４４】
ところで、図１は使用に当たって前記縮小させた容器本体部１をカップ状に拡張させた状態を示したものである。
この容器本体部１の拡張は有底枠体３を片手で支持し、他方の手で開口部枠体２を引き上げることによって簡単に行なうことができる。
【００４５】
上記拡張操作によって開口部枠体２が上昇すると、蛇行し裏返った胴部５が折りたゝみのときとは逆に徐々に裏返し状態を戻しながら復元し容器本体部１を元のカップ状に拡張させることになり、これに伴い濾過器として使用可能な状態となる。
【００４６】
図１には使用可能な状態となった容器本体部１をコーヒーカップ１４上に載置し、湯の注入に備えたところを示している。有底枠体３から開口部枠体２を引き出した容器本体部１は開口部枠体２と有底枠体３の剛性によってその間の胴部５を筒形形状に支持し、これを通して容器本体部１の全体に緊張を与えてカップ状に保持することになる。
【００４７】
カップ１４上に載置した容器本体部１に湯を注ぐと、フィルタ１２を通して収納室９内に浸透し、これに封入するコーヒー粉末等内容物８を湿潤させ、その成分を抽出しながら収納室９の底部を通してコーヒー抽出液をカップ１４に回収することができる。
【００４８】
このとき、フィルタ１２を透過した湯は収納室９に入りコーヒー粉末８に浸透すると同時に、収納室の全体から外に排出されることになるが、充分にコーヒー粉末が湿潤しない間は収納室の上部が空部となり、これによってコーヒー粉末に接触しない湯が収納室の上部周面から抜け出すことがある。
これに対応してこの実施例では前記スカート１３によって収納室の上端部を囲繞し湯の透過を防止しているので、湯は常にコーヒー粉末内を透過し、コーヒー液を抽出することになる。
【００４９】
一方、湯の注入により容器本体部１には湯の重量が全てかゝることになるが、同時に開口部枠体２及び有底枠体３と共に胴部５にはそれぞれ内側から液圧が作用し胴部５に緊張が作用することから可撓性が抑制され形状の安定化が図られることになる。
【００５０】
【実施例２】
図５、図６は本発明の第２の実施例を示したものである。この実施例は前記第１の実施例を基礎にして容器本体部１の伸縮性を保持した上で有底枠体３の強度を高め形状の安定化を図ると同時に、カップ１４に対する載置時の安定化を一層高めるようにした他の例である。図５は容器本体部１を縮小して格納状態にした本発明濾過器の中央縦断正面図であり、図６は図５の１点鎖線で囲んだ部分の拡大断面図である。
【００５１】
図示するように、この実施例における特徴は容器本体部１を構成する有底枠体３の構造を変更したことにあり、特に前記第１の実施例における有低枠体の高さよりやや高くして開口部枠体２の全体を格納可能にすると共に、低部６から下の部分、つまり係止部３ａを延長して低部６の下面から垂下する収納室９の全体を囲むようにした例である。
尚、本実施例の説明において第１の実施例と同一の部所，構造については同一の符号を使用してその説明を省略する。
【００５２】
本実施例では、開口部枠体２の高さを有低枠体３の底部６より上の部分の高さより低いものとしてあり、これにより胴部５を折りたゝんで縮小したとき、胴部５と共に全体が有低枠体３の中に収まるようにしてある。
【００５３】
その一方、底部６の周縁から筒状の補強枠１５を延設してこれを前記係止部３ａの内面に添わせ一体に接合して強化し底部６の下方に深い係止空間１６が形成されるようにしてある。
【００５４】
尚、ここでは図６に示したように底部６には孔７の周縁に沿って１段下がる受部１０を形成して収納室９の鍔１１を受ける一方、この受部１０の周縁からスカート１３を延設して収納部９の上縁を囲み、ここからの湯の漏れ出しを防止するようにしてある。そして、フィルタ１２は底部６の上面に直接貼り付け、収納室９を被うようにしてある。
【００５５】
以上の様に構成してなることから、本発明濾過器は第１の実施例と同様に収納室９を引き出すことによって再び容器本体部１をカップ状に拡張させることができると同時に、開口部枠体２によって、更にこの実施例では底部６によって有底枠体３の胴部５を円筒形状に保持し、形状を安定化させることになる。
【００５６】
そして、当該実施例では有低枠体３の下縁部の係止部３ａに補強枠１５を形成するのに併せて該補強枠１５の下縁を垂下延長して深い係止空間１６を備えてあることから、コーヒーカップ１４上に載置したときその開口縁部を確実に係合保持することができ、従って安定的に載置することができると共に、湯の注入時に湯の圧力乃至重量によって落下することが回避されく安全に使用することができる。
【００５７】
以上、本発明を各実施例につき詳述したが、要するに本発明濾過器は容器本体部１を厚紙、不織布等所要剛性を有した素材で形成する開口部枠体２と、この枠体に比較して軟質で柔軟性を有する薄紙、不織布等適度な剛性と可撓性を有し、変形が可能であって、しかも一定の形状維持能力を有する素材で形成する有底枠体３、そして可撓性を有する胴部５との組合せによって構成したことにより、主として剛性をもたせた開口部枠体２と有低枠体３に容器本体部１全体の形状保持能力をもたせ、可撓性，柔軟性をもたせた胴部５に折りたゝみ時の変形能力をもたせて縮小，拡張操作を容易に行えるようにしたことに特徴があるものとなっている。
【００５８】
ことに前記胴部５においては、胴部５に変形能力をもたせて自由な形状変形を可能にして容易に且つ確実に容器本体部の縮小，拡張操作が行えるようになっている。
【００５９】
ところで、前記実施例においては開口部枠体２及び有低枠体３の素材として厚紙を使用し、また胴部５の素材として薄紙を使用する場合につき説明したが、この素材の選択は使用後の処分を考慮したことと、取扱いの容易性を考慮したことによるもので、開口部枠体２及び有底枠体３については形状保持の剛性が得られ、そして胴部５については形状を保持する一方、変形が容易であれば例えば不織布を素材にして成形することもできる。
【００６０】
この場合、開口部枠体２、有底枠体３と胴部５に使用する不織布には相互の剛性に差を出すため不織布の厚みを変え、開口部枠体２には摘んで持つことが可能な剛性強度を持たせ、また胴部５には開口部枠体２の押し込み操作の際に容易に撓んで変形する柔軟性と筒状を呈したときその形状を維持するに充分な形状維持能力を持たせる厚みにすることが望まれる。
【００６１】
一方、紙を素材としたとき、当然のことながら防水性のある素材であることが求められることは言うまでもない。
また実施例では容器本体部１について円形のカップ状をなすものとしたが、多角形状であっても実施は可能であり、制限されるものではない。
勿論、実施例の説明ではコーヒーの濾過器として説明したが、これに限られるものてはなく収納室９に収納する内容物８によってその用途は任意であり、茶のこし器として利用することも可能であることは説明を要しないであろう。
【００６２】
【発明の効果】
本発明濾過器は上述の如く構成され、使用されるもので、使用時には容器本体部１をカップ状に引き伸ばし、その状態でコーヒーカップ等容器の上に載せて湯を注ぎ、ドリップ式濾過器として使用することができ、その一方、不使用時乃至未使用時には容器本体部の開口部枠体２を有底枠体３の中に収納室９と共に押し入れ縮小させて小型化することができると共に格納しておくことができるため嵩張らず、従って包装が容易であり、また保管するに当り、更には運搬や店頭等に陳列する場合に場所をとらず有利に使用することができる。
【００６３】
また、本発明濾過器は前記開口部枠体２の折りたゝみに当たって、胴部５の特定の位置、部分を以て折りたゝみを開始させたり、或いは引き伸ばしを開始させるなど限定されることなく胴部５の全体についてその可撓性を利用して何処からでも伸縮させられるものとなっていることから、その操作に抵抗感が少なく簡単且つ容易に伸縮操作ができる利点がある。
【００６４】
ことに、上記折りたゝみ或いは引き伸ばし操作に当たっては剛性の高い開口部枠体と低部枠体が主導体となりこれに柔軟な胴部が追随する関係を作ることから単に上の開口部枠体を下の有低枠体の中に押し入れる操作で自動的に折りたゝむことができ、また引き上げることによって簡単に引き伸ばし拡張することができるものとなっている。
【００６５】
また、本発明に係る濾過器においては、拡張させた容器本体部１は下端が拡張する円錐台形状のカップ型となり、この拡張した底部をカップ上に載置し安定した状態にセットすることができることから、軽量であるにも関わらず、給湯時に湯の落下の圧力或いは湯の重量を受けてカップから落下することがなく、危険を有効に回避できる利点がある。
【００６６】
勿論、係止部の拡大によってカップとの係合を深くするものにあっては更に確実性が増すため安心して使用することができるものとなっている。
また当然のことながら、使用後においても容器本体部は折りたゝむことができることから捨てる際に折りたゝんで小型にし廃棄できるので便利であることは言うまでもない。
【図面の簡単な説明】
【図１】本発明の濾過器を伸長させ使用可能な状態にした右半を中央部で断面とした正面図。
【図２】図１の１点鎖線で囲んだ部分の拡大断面図。
【図３】開口部枠体を胴部と共に有低枠体の内側に折り込み縮小した状態の右半を中央部で断面とした正面図。
【図４】縮小した状態の本発明濾過器の斜視図。
【図５】第２の実施例における濾過器の折りたゝみ状態における中央縦断面図。
【図６】図５の１点鎖線で囲んだ部分の拡大断面図である。
【符号の説明】
１            容器本体部
２            開口部枠体
３            有底枠体
３ａ          係止部
５            胴部
５ａ，５ｂ    胴部の延長部
６            底部
７            孔
８            抽出内容物
９            収納室
１０          受部
１２          フィルタ
１３          スカート
１５          補強枠
１６          係止空間
【図１】
0003550375.tif 000002
【図２】
0003550375.tif 000003
【図３】
0003550375.tif 000004
【図４】
0003550375.tif 000005
【図５】
0003550375.tif 000006
【図６】
0003550375.tif 000007